(57)【要約】【課題】短期間でかつ省力的に施工可能な擁壁構造を提供する。また同擁壁構造において、擁壁を隣地境界線に近接して構築可能とするとともに、構造規模もコンパクトにする。【解決手段】底版２と、この底版２上から立ち上がる躯体壁３と、この躯体壁３を支持又は補強するために前記躯体壁３の背面側に配置されるとともに、底版２の長手方向に沿って所定の間隔で配置された控え壁４，４…とを備える擁壁構造において、少なくとも前記躯体壁３と控え壁４とがプレキャストコンクリート部材からなり、前記躯体壁３の背面側において躯体壁３と控え壁４とがＰＣ鋼材により一体的に接合された構造とする。また、前記擁壁１Ａの山側寄り部位において、前記控え壁４と底版２とを略鉛直方向に貫通するグランドアンカー７を設ける。【選択図】　図１
2004100157.tif 000002
【特許請求の範囲】
【請求項１】
底版と、この底版上から立ち上がる躯体壁と、この躯体壁を支持又は補強するために前記躯体壁の背面側に配置されるとともに、底版の長手方向に沿って所定の間隔で配置された控え壁とを備える擁壁構造において、
少なくとも前記躯体壁と控え壁とがプレキャストコンクリート部材からなり、前記躯体壁の背面側において躯体壁と控え壁とがＰＣ鋼材又は鋼材により一体的に接合されていることを特徴とする擁壁構造。
【請求項２】
前記擁壁の山側寄り部位において、前記控え壁と底版とを略鉛直方向に貫通するグランドアンカーを設けてある請求項１記載の擁壁構造。
【請求項３】
前記底版は現場打ちコンクリートとされ、前記躯体壁の下面から延在する鉄筋及び／又は控え壁の下面から延在する鉄筋を前記底版内に定着させてある請求項１、２いずれかに記載の擁壁構造。
【請求項４】
前記底版はプレキャスト部材とされ、前記控え壁と底版とを貫通するとともに、前記控え壁の上面および底版の下面をそれぞれ定着部とするＰＣ鋼材を設け、控え壁と底版との一体化を図った請求項１、２いずれかに記載の擁壁構造。
【請求項５】
前記躯体壁と底版とを貫通するとともに、前記躯体壁の上面および底版の下面をそれぞれ定着部とするＰＣ鋼材を設け、躯体壁と底版との一体化を図った請求項４記載の擁壁構造。
【請求項６】
前記請求項３記載の擁壁構造のための施工方法であって、所定位置に前記躯体壁と控え壁とを据え付けるとともに、前記躯体壁の背面側において躯体壁と控え壁とをＰＣ鋼材により一体的に接合した後、底版領域にコンクリートを打設しその硬化を待った後、予め前記控え壁に形成されたアンカー用通孔および前記底版のコンクリート打設時に形成したアンカー用通孔を通して、地盤に定着体を持つ前記グランドアンカーを施工することを特徴とする擁壁の施工方法。
【発明の詳細な説明】
【０００１】
【発明の属する技術分野】
本発明は、短期間かつ省力的に施工可能な擁壁構造およびそのための施工方法に関する。
【０００２】
【従来の技術】
従来より、道路、鉄道、住宅などの盛土部又は切土部等では、土砂等が崩落するのを防止するために、土砂を支えるための擁壁が数多く構築されている。この種の擁壁は、構造的には重力式擁壁、半重力式擁壁、もたれ式擁壁、石積ブロック積擁壁等の重力式擁壁、Ｌ型擁壁、逆Ｔ型擁壁、逆Ｌ型擁壁等の片持ち梁式擁壁、片持ち梁式擁壁において控え壁を設けた扶壁式擁壁等に分類されるが、材料的にみると、前記石積ブロック積擁壁を除くすべての擁壁はコンクリートからなるとともに、施工はすべて現場において型枠を組み、鉄筋組みを行った後、コンクリートを打設する現場施工によっていた。
【０００３】
【発明が解決しようとする課題】
しかしながら、前記擁壁の施工に当たり、底版部分は打設高さが小さいため、効率的かつ容易にコンクリート打設が行えるけれども、躯体壁や控え壁等の立上がり躯体部分は、バイブレータ掛けによってコンクリートを隅々まで回す必要があるため、一度に大量のコンクリートを打設することはできない。そのため、予め設定されたリフト割りに従い、下段側から順にコンクリート打設、バイブレータ掛けを行い、その硬化を待った後、次上段リフトの施工を行わなければならず、施工に多くの時間と手間が掛かっていた。
【０００４】
一方で、図１２に示されるように、高擁壁の場合には躯体壁５０の前面から斜め下方向に向けてグランドアンカー５１，５１を設置し、擁壁が転倒しないように補強したい場合があるが、斜め方向に延びた前記グランドアンカー５１が隣地境界線を超えて他人の敷地内に及ぶことになる場合があった。また同時に、前記グランドアンカー５１の施工に当たっては、高所作業となるため別途足場が必要となるとともに、グランドアンカーの定着部が外部に露出するため見栄えが悪くなるなどの問題もあった。
【０００５】
そこで本発明の主たる課題は、第１に短期間でかつ省力的に施工可能な擁壁構造およびそのための施工方法を提供することにある。
【０００６】
また同擁壁構造において、擁壁を隣地境界線に近接して構築可能とするとともに、構造規模もコンパクトにでき、更に足場が不要となるとともに、定着部が露出しないなどの利点を有するグランドアンカー併用式擁壁構造を提供することにある。
【０００７】
【課題を解決するための手段】
前記課題を解決するために請求項１に係る本発明として、底版と、この底版上から立ち上がる躯体壁と、この躯体壁を支持又は補強するために前記躯体壁の背面側に配置されるとともに、底版の長手方向に沿って所定の間隔で配置された控え壁とを備える擁壁構造において、
少なくとも前記躯体壁と控え壁とがプレキャストコンクリート部材からなり、前記躯体壁の背面側において躯体壁と控え壁とがＰＣ鋼材又は鋼材により一体的に接合されていることを特徴とする擁壁構造が提供される。
【０００８】
上記請求項１記載の発明においては、擁壁の各構造部分の内、コンクリート打設による施工が比較的面倒な躯体壁と控え壁とをプレキャストコンクリート部材によって構成するようにしたため、擁壁を短期間でかつ省力的に施工できるようになる。
【０００９】
請求項２に係る本発明として、前記擁壁の山側寄り部位において、前記控え壁と底版とを略鉛直方向に貫通するグランドアンカーを設けてある請求項１記載の擁壁構造が提供される。
【００１０】
上記請求項２記載の発明においては、控え壁を縦方向に貫通するとともに、底版を貫通してグランドアンカーを設けるようにした。従って、擁壁を隣地境界線に近接して構築可能となるとともに、前記グランドアンカーは、擁壁を転倒防止に大きく寄与することになるため、構造規模、具体的には底版幅を小さくできるようになる。また、グランドアンカーの打設作業も、裏込土を充填した後に行うことにより足場等が不要となる。また、擁壁の天端よりも少しだけ高く裏込土を敷き均すことにより、前記グランドアンカーの頭部定着部も埋設され、見栄えも良好なものとなる。
【００１１】
請求項３に係る本発明として、前記底版は現場打ちコンクリートとされ、前記躯体壁の下面から延在する鉄筋及び／又は控え壁の下面から延在する鉄筋を前記底版内に定着させてある請求項１、２いずれかに記載の擁壁構造が提供される。底版を現場打設コンクリートによって構築する場合には、躯体壁及び／又は控え壁の下面から延在させた定着筋を底版中に定着させることにより、一体化を図ることができる。
【００１２】
請求項４に係る本発明として、前記底版はプレキャスト部材とされ、前記控え壁と底版とを貫通するとともに、前記控え壁の上面および底版の下面をそれぞれ定着部とするＰＣ鋼材を設け、控え壁と底版との一体化を図った請求項１、２いずれかに記載の擁壁構造が提供される。底版を同じくプレキャストコンクリートによって構築する場合には、少なくとも控え壁と底版とをＰＣ鋼材により一体化することが望ましい。
【００１３】
請求項５に係る本発明として、前記躯体壁と底版とを貫通するとともに、前記躯体壁の上面および底版の下面をそれぞれ定着部とするＰＣ鋼材を設け、躯体壁と底版との一体化を図った請求項４記載の擁壁構造が提供される。更に、底版を同じくプレキャストコンクリートによって構築する場合には、躯体壁も底版にＰＣ鋼材により一体化することがより望ましい。
【００１４】
請求項６に係る本発明として、前記請求項３記載の擁壁構造のための施工方法であって、所定位置に前記躯体壁と控え壁とを据え付けるとともに、前記躯体壁の背面側において躯体壁と控え壁とをＰＣ鋼材により一体的に接合した後、底版領域にコンクリートを打設しその硬化を待った後、予め前記控え壁に形成されたアンカー用通孔および前記底版のコンクリート打設時に形成したアンカー用通孔を通して、地盤に定着体を持つ前記グランドアンカーを施工することを特徴とする擁壁の施工方法が提供される。
【００１５】
【発明の実施の形態】
以下、本発明の実施の形態について図面を参照しながら詳述する。
【００１６】
〔第１形態例〕
図１は本発明に係る擁壁１Ａの縦断面図、図２は図１のＩＩ−ＩＩ線矢視図、図３は図１のＩＩＩ−ＩＩＩ線矢視図、図４は躯体壁の裏面図及び横断面図である。
【００１７】
図１に示される擁壁１Ａは、底版２と、この底版２上から斜め上方向に立ち上がる躯体壁３と、この躯体壁３を支持又は補強するために前記躯体壁３の背面側に配置されるとともに、底版２の長手方向（紙面を貫く方向）に沿って所定の間隔で配置された控え壁４、４…とを備え、かつ図示例では支持地盤Ｈが深いために杭基礎５，５…上に設置された構造となっている。なお、前記支持地盤Ｈが浅い場合には前記杭基礎５，５…は省略された構造となる。
【００１８】
本擁壁１Ａにおいては、底版２は現場打ちコンクリートとされ、前記躯体壁３と控え壁４とが工場若しくは現場ヤードにおいて製作されたプレキャストコンクリート部材とされ、前記躯体壁３の背面側において躯体壁３と控え壁４とがポストテンションＰＣ鋼材６，６…により一体的に接合された構造となっている。また、前記擁壁１Ａの山側寄り部位においては、前記控え壁４と底版２とを略鉛直方向に貫通するようにグランドアンカー７，７…を設け、擁壁１Ａが転倒しないように支持されている。なお、このグランドアンカー７は、擁壁高が低く、擁壁本体の構造のみで転倒に対し十分に安定性を有するならば省略が可能である。
【００１９】
以下、更に具体的に詳述すると、
前記躯体壁３は、詳細には図２及び図４に示されるように、プレキャストコンクリート製壁板３Ａの裏面側に、両側縁から所定距離だけ内側に入った位置にそれぞれ縦方向に沿って裏面外方に突出した縦方向突出壁部３Ｃ、３Ｃが形成されるとともに、コンクリート製壁板３Ａの上下縁部及び中間部にそれぞれ前記縦方向突出壁部３Ｃ、３Ｃ間を繋ぐ横方向突出壁部３Ｂ、３Ｂが形成されている。また、前記コンクリート製壁板３Ａ内には、上下方向に間隔をおいて水平方向に沿って複数本の、図示例では９本のＰＣ鋼線又はＰＣ鋼より線等からなるプレテンションＰＣ鋼材９，９…が埋設され補強が成されているとともに、前記縦方向突出壁３Ｃ、３Ｃには上下方向に間隔をおいて水平方向に貫通するＰＣ鋼材用通孔３ａが複数箇所に、図示例では８箇所に形成されている。また、図１に示されるように、底版２に対する定着のために、躯体壁３の下端面から下方向に延在し、底版２内に定着される定着筋１７、１７…が設けられている。
【００２０】
前記躯体壁３は、水平方向に隣接配置され、図３に詳細に示されるように、隣接する躯体壁３，３の境界部裏面側に控え壁４の前端部が嵌合する凹状溝Ｍが形成されるようになっている。また、躯体壁３、３の目地部分にはゴム系等の目地材１９が介在若しくは注入によって充填されている。
【００２１】
一方、控え壁４は、図３に示されるように、断面Ｉ型を成すプレキャストコンクリート部材であり、後端側（山側）には部材長手方向に沿って１又は複数の、図示例では２本のシース管が埋設されアンカー用通孔１０，１０が形成されているとともに、前端部には部材長手方向に沿って構造的に圧縮鉄筋として機能する主鉄筋１１，１１が埋設されている。また、躯体壁３のＰＣ鋼材用通孔３ａに対応する位置に水平方向のＰＣ鋼材用通孔４ａが形成されているとともに、図１に示されるように、底版２に対する定着のために、控え壁４の下端面から下方向に延在し底版２内に定着される定着筋１３、１３…が設けられている。
【００２２】
前記躯体壁３と控え壁４との結合は、同図に示されるように、隣接する躯体壁３，３の境界部裏面側に形成された凹状溝Ｍに控え壁４の前端部を嵌合させ、躯体壁３のＰＣ鋼材用通孔３ａと控え壁４のＰＣ鋼材用通孔４ａに対してポストテンションＰＣ鋼材６を挿通し、縦方向突出壁部３Ｃ、３Ｃの外側壁面をそれぞれ座として定着材１５によって緊張力を導入し定着を図り両者を一体化する。また仕上げ処理として、前記定着部にヘッドキャップ１４を被せるとともに、内部に防錆油等を注入し防錆処理を行うようにするのが望ましい。なお、本例ではＰＣ鋼材６により一体化を図ったが、ネジ付き鋼棒などの鋼材などにより高い緊張力を導入することなく一体化を図るようにしてもよい。
【００２３】
他方、本擁壁１Ａの山側寄り部位において、前記控え壁４と底版２とを略鉛直方向に貫通するように打設されたグランドアンカー７，７…は、控え壁４に形成されたアンカー用通孔１０および底版２のコンクリート打設時にシース管の埋設によって形成されたアンカー用通孔２ａを通して地盤中にボーリングを行い、アンカー用ＰＣ鋼材を挿入するとともに、先端部分等にグラウト材を注入することにより定着体１６を造成し、前記アンカー用ＰＣ鋼材を地盤中に定着した後、控え壁４の上端面部分において緊張し定着を図るようにする。前記アンカー用ＰＣ鋼材としては、ＰＣ鋼線、ＰＣ鋼より線、ＰＣ鋼棒などが使用可能であるが、せん断耐力が期待できる点で前記ＰＣ鋼棒を使用するのが望ましい。仕上げ処理として、前記定着部にはヘッドキャップを被せるとともに、内部に防錆油等を注入し防錆処理を行うようにするのが望ましい。また、グランドアンカー７の頭部定着部は埋戻し土によって被覆し、外部に露出しないようにするのがよい。
【００２４】
なお、本例では、図２に示されるように、各控え壁４、４…位置に対してグランドアンカー７が設けられているが、このグランドアンカー７は擁壁の転倒に対して必要数だけあれば良いため、場合によっては控え壁４の複数スパン間隔で配置するようにしてもよい。
【００２５】
〈施工手順（その１）〉
次いで、前記擁壁１Ａの施工手順について説明する。
先ず、底版２の下面（施工基面）までの掘削を行った後、杭基礎５，５…の施工を行う。そして、杭基礎５，５…の施工を終えたならば、例えば施工基面に鋼製架台（Ｈ鋼等）などを設置し、これを台座代わりとして所定位置に前記躯体壁３と控え壁４とを据え付けるとともに、前記躯体壁３の背面側において躯体壁３と控え壁４とをポストテンションＰＣ鋼材６、６…により一体的に接合する。また、底版２の施工のために周囲に型枠を設置すると共に、その内部に配筋を行い、そして底版領域にコンクリートを打設しその硬化を待った後、予め前記控え壁４に形成されたアンカー用通孔１０および前記底版のコンクリート打設時に形成したアンカー用通孔２ａを通して、地盤に定着体１６を持つ前記グランドアンカー７を施工するようにする。このグランドアンカー施工は、擁壁１Ａの背面側に裏込土を充填した後に行うと、足場が不要になる等の点から望ましい。すべての作業を終えたならば、擁壁１Ａの上部に埋戻し土１８を被せ、グランドアンカー７の頭部定着体を土中に埋設し施工を完了する。
【００２６】
ところで、上記例では控え壁４及び底版２にそれぞれアンカー用通孔１０，２ａを予め形成するようにしたが、グランドアンカー施工時に、控え壁４及び底版２の躯体部分をボーリング等によって削孔することによりアンカー孔を形成することもできる。また、上記例では躯体壁３の立ち上がり方向を斜め上方向としたが、当然に鉛直方向であってもよい。
【００２７】
〈施工手順（その２）〉
本施工手順（その２）は、底版２，次いで躯体壁３及び控え壁４の順序により施工を行う場合の方法である。以下、図５に基づいて説明する。
【００２８】
先ず、躯体壁３及び控え壁４において、下端面の定着筋１７…、１３…は、底版２内までに延長させることなく、数ｃｍ〜数十ｃｍ程度の直筋としておく。
【００２９】
底版２の下面（施工基面）までの掘削を行った後、杭基礎５，５…の施工を行う。そして、杭基礎５，５…の施工を終えたならば、底版２の施工のために周囲に型枠を設置すると共に、その内部に配筋を行う。この際、底版２の上面には前記躯体壁３及び控え壁４の定着筋１７…、１３…と対応する位置に定着筋２０、２０…を突出させておく。
【００３０】
以上の準備が完了したならば、底版型枠内にコンクリートを打設しその硬化を待ったならば、スペーサ等を噛ませることにより底版２上面との間に空間２１を空けた状態で、かつ前記躯体壁３及び控え壁４の定着筋１７…、１３…と底版２の定着筋２０，２０…との位置合わせを行った状態で、前記躯体壁３及び控え壁４を据え付けるとともに、前記躯体壁３の背面側において躯体壁３と控え壁４とをＰＣ鋼材６により一体的に接合する。また、前記躯体壁３及び控え壁４の定着筋１７…、１３…と底版２の定着筋２０，２０…とを接合するようにする。前記定着筋の接合方法については、スリーブジョイント等の機械継手を採用する場合は、一方側の相対的移動を必要とするため、両側を不動としたまま接合が行える突合わせ溶接とするのが望ましい。定着筋同士の溶接を終えたならば、躯体壁３及び控え壁４と、底版２との空間部分２１にグラウト材等を充填する。
【００３１】
そして最後に、前記控え壁４に形成されたアンカー用通孔１０および前記底版のコンクリート打設時に形成したアンカー用通孔２ａを通して、地盤に定着体１６を持つ前記グランドアンカー７を施工するようにする。
【００３２】
〔第２形態例〕
次いで、図６〜図９に示される第２形態例は、前記躯体壁３及び控え壁４を分割しブロック構造とした擁壁１Ｂの例である。
【００３３】
擁壁高が高く構造規模が大きい場合、躯体壁３および控え壁４を１枚もの（全高寸法）で製作し、運搬することが現実的に不可能又は困難であることがあるため、前記躯体壁３及び控え壁４を分割しブロック構造とし、それぞれを高さ方向に積み上げて一体的に組み上げるようにする。
【００３４】
具体的に、前記躯体壁３については、図７に示されるように、多数のブロック状躯体壁８を製作し、これを水平方向に隣接配置するとともに、鉛直方向にも段状に配置することにより、全体として１枚の躯体壁３を構成するようにする。
【００３５】
前記ブロック状躯体壁８は、詳細には図９に示されるように、プレキャストコンクリート製壁板８Ａの裏面側に、両側縁から所定距離だけ内側に入った位置にそれぞれ縦方向に沿って裏面外方に突出した縦方向突出壁部８Ｃ、８Ｃが形成されるとともに、コンクリート製壁板８Ａの上下縁部にそれぞれ前記縦方向突出壁部８Ｃ、８Ｃ間を繋ぐ横方向突出壁部８Ｂ、８Ｂが形成されている。前記コンクリート製壁板８Ａ内には、水平方向に複数本の、図示例では３本のＰＣ鋼線又はＰＣ鋼より線等からなるプレテンションＰＣ鋼材９，９…が埋設されているとともに、前記縦方向突出壁８Ｃ、８Ｃには上下方向に間隔をおいて水平方向に貫通するＰＣ鋼材用通孔８ａが複数箇所に、図示例では２箇所に形成されている。
【００３６】
また、図６に示されるように、底版２に対する定着のために、最下段のブロック状躯体壁８には、下端面から下方向に延在し底版２内に定着される定着筋１７、１７…が設けられている。
【００３７】
前記ブロック状躯体壁８は、水平方向に隣接配置されるとともに、鉛直方向にも積み上げるようにしながら段状に配置されることにより躯体壁３が形成され、かつ隣接するブロック状躯体壁８，８の境界部裏面側に控え壁４の前端部が嵌合する凹状溝Ｍが形成されるようになっている。
【００３８】
なお、前記ブロック状躯体壁８については、図１０に示されるように、プレキャストコンクリート製壁板８Ａと、縦方向突出壁部８Ｃ、８Ｃとの境界点Ｐを境に、プレキャストコンクリート製壁板８Ａ側の上面及び下面を版に対して直交する方向（上斜め方向）に立ち上げることにより、積み上げ時に上段側ブロック状躯体壁８を容易に位置決めできるようになるとともに、せん断耐力を向上できるようになる。
【００３９】
一方、控え壁４も同様に、図６に示されるように、上下方向に複数に分割された構造となっており、図示例ではブロック状控え壁４Ａ〜４Ｄの４ブロックを縦方向に積み上げることによって一枚の控え壁４が構成されるようになっている。図８に示されるように、各ブロック状控え壁４Ａ〜４Ｄはそれぞれ断面Ｉ型を成すプレキャストコンクリート部材であり、後端側（山側）には部材長手方向に沿って１又は複数の、図示例では２本のシース管が埋設されアンカー用通孔１０，１０が形成されているとともに、中間部及び前端部には同じくシース管等によって連結鋼棒用通孔２２、２２…が適宜の位置に設けられている。また、ブロック状躯体壁８のＰＣ鋼材用通孔８ａに対応する位置に水平方向のＰＣ鋼材用通孔４ａが形成されている。更に、図６に示されるように、最下段のブロック状控え壁４Ａの下端面には、底版２に対する定着のために、控え壁４の下端面から下方向に延在し底版２内に定着される定着筋１３、１３…が設けられている。
【００４０】
前記ブロック状躯体壁８とブロック状控え壁４Ａ〜４Ｄとの結合は、同図に示されるように、隣接するブロック状躯体壁８，８の境界部裏面側に形成された凹状溝Ｍにブロック状控え壁４Ａ〜４Ｄの前端部を嵌合させ、ブロック状躯体壁８のＰＣ鋼材用通孔８ａと控え壁４のＰＣ鋼材用通孔４ａに対してポストテンションＰＣ鋼材６を挿通し、縦方向突出壁部８Ｃ、８Ｃの外側壁面をそれぞれ座として定着材１５によって定着を図り、両者を一体化する。また、定着部にヘッドキャップ１４を被せるとともに、内部に防錆油等を注入し防錆処理を行うようにするのが望ましい。
【００４１】
他方、本擁壁１Ｂの山側寄り部位においては、第１形態例と同様に、前記ブロック控え壁４Ａ〜４Ｄおよび底版２を略鉛直方向に貫通するように打設されたグランドアンカー７，７…が設けられている。
【００４２】
〈施工手順〉
先ず、底版２の下面（施工基面）までの掘削を行った後、杭基礎５，５…の施工を行う。そして、杭基礎５，５…の施工を終えたならば、例えば施工基面に鋼製架台（Ｈ鋼等）などを設置し、これを台座代わりとして所定位置に最下段の前記ブロック状躯体壁８とブロック状控え壁４Ａとを据え付けるとともに、前記躯体壁３の背面側においてブロック状躯体壁８とブロック状控え壁４ＡとをポストテンションＰＣ鋼材６、６…により一体的に接合する。また、底版２の施工のために周囲に型枠を設置すると共に、その内部に配筋を行う。そして、底版領域にコンクリートを打設しその硬化を待った後、次上段のブロック状躯体壁８とブロック状控え壁４Ｂとを施工する。
【００４３】
上下段のブロック状控え壁４Ａ、４Ｂの連結は、設置済みのブロック状控え壁４Ａの上面に突出しているネジ付き鋼棒２８に対してスリーブジョイント２４を螺合した後、上段のブロック状控え壁４Ｂを設置し、ブロック状控え壁４Ｂの連結鋼棒用通孔２２からネジ付き鋼棒２３を挿入し、前記スリーブジョイント２４に螺合させるようにする。この作業を積み上げ方向に順に行い、上下方向にすべてのブロック状躯体壁８、８…とブロック状控え壁４Ａ〜４Ｄを積み上げ、ネジ付き鋼棒２３によって連結を図ったならば、連結鋼棒用通孔２２内にグラウト材を充填するようにする。なお、各ブロック状控え壁４Ａ〜４Ｄの接合は、上記例以外に、例えば図５において説明した方法（鉄筋同士の溶接接合）によって行うこともできる。
【００４４】
以上の躯体工事を終えたならば、次に予め前記控え壁４に形成されたアンカー用通孔１０および前記底版２のコンクリート打設時に形成したアンカー用通孔２ａを通して、地盤に定着体１６を持つ前記グランドアンカー７を施工するようにする。
【００４５】
〔第３形態例〕
次に、前記躯体壁３及び控え壁４と共に、底版２をもプレキャストコンクリート部材とした第３形態例について、図１０に基づいて説明する。
【００４６】
図１１に示される擁壁１Ｃは、擁壁を構成する３要素、すなわち底版２と、この底版２上から立ち上がる躯体壁３と、この躯体壁３を支持又は補強するために前記躯体壁３の背面側に配置されるとともに、底版２の長手方向に沿って所定の間隔で配置された控え壁４、４…とがすべてプレキャストコンクリート部材となっている。
【００４７】
前記躯体壁３と控え壁４との接合方法については、前記第１形態例及び第２形態例に準ずるとして説明は省略するが、控え壁４と底版２との接合は、前記控え壁４と底版２とを貫通するとともに、前記控え壁４の上面および底版２の下面をそれぞれ定着部とするＰＣ鋼棒２５を設け、控え壁４と底版２との一体化を図るようにしている。この場合、底版２の下面側におけるＰＣ鋼棒２５の定着は、予め定着ナット２６を固定状態で設置しておき、控え壁４を設置した後、控え壁４に形成されたＰＣ鋼棒用通孔２７にＰＣ鋼棒２５を挿入し、所定方向に回転させることにより前記定着ナット２６に螺合させるようにし、その後控え壁４の上端面において緊張し定着を図るようにする。一方、躯体壁３と底版２との接合も全く同様な方法によって行うことができるため、同符号を付して説明は省略する。
【００４８】
なお、控え壁４及び躯体壁３と、底版２との接合は、上記例以外に、例えば図５において説明した方法（鉄筋同士の溶接接合）によって行うこともできる。
【００４９】
【発明の効果】
以上詳説のとおり本発明によれば、擁壁の各構造部分の内、コンクリート打設による施工が比較的面倒な躯体壁と控え壁とをプレキャストコンクリート部材によって構成するようにしたため、擁壁を短期間でかつ省力的に施工できるようになる。
【００５０】
また、前記擁壁の山側寄り部位において、控え壁および底版を略縦方向に貫通してグランドアンカーを設けるようにしたため、擁壁を隣地境界線に近接して構築可能となるとともに、前記グランドアンカーは、擁壁を転倒防止に大きく寄与することになるため構造規模をコンパクトにできるようになる。また、グランドアンカーの打設作業も、裏込土砂を充填した後に行うことにより足場等が不要となるとともに、グランドアンカーの頭部定着部を埋設することにより見栄えも良好なものとなる。
【図面の簡単な説明】
【図１】本第１形態例に係る擁壁１Ａの縦断面図である。
【図２】その背面図（図１のＩＩ−ＩＩ線矢視図）である。
【図３】図１のＩＩＩ−ＩＩＩ線矢視図である。
【図４】躯体壁３を示す、（Ａ）は裏面図、（Ｂ）は（Ａ）のＢ−Ｂ線矢視図である。
【図５】施工手順（その２）の説明図である。
【図６】第２形態例に係る擁壁１Ｂの縦断面図である。
【図７】その背面図（図６のＶＩＩ−ＶＩＩ線矢視図）である。
【図８】図６のＶＩＩＩ−ＶＩＩＩ線矢視図である。
【図９】ブロック状躯体壁８を示す、（Ａ）は裏面図、（Ｂ）は（Ａ）のＢ−Ｂ線矢視図である。
【図１０】ブロック状躯体壁８の変形例を示す側面図である。
【図１１】第３形態例を示す擁壁１Ｃの縦断面図である。
【図１２】従来のグランドアンカーを併用した擁壁の縦断面図である。
【符号の説明】
１Ａ〜１Ｃ…擁壁、２…底版、３…躯体壁、４…控え壁、３ａ・４ａ…ＰＣ鋼材用通孔、５…杭基礎、６…ポストテンションＰＣ鋼材、７…グランドアンカー、８…ブロック状躯体壁、９…プレテンションＰＣ鋼材、１０…アンカー用通孔、１１…主鉄筋、１３・１７・２０…定着筋、１６…定着体
【図１】
2004100157.tif 000003
【図２】
2004100157.tif 000004
【図３】
2004100157.tif 000005
【図４】
2004100157.tif 000006
【図５】
2004100157.tif 000007
【図６】
2004100157.tif 000008
【図７】
2004100157.tif 000009
【図８】
2004100157.tif 000010
【図９】
2004100157.tif 000011
【図１０】
2004100157.tif 000012
【図１１】
2004100157.tif 000013
【図１２】
2004100157.tif 000014